【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
装置から個人認証データの少なくとも一つの項目を受信するステップと、
少なくとも１つのプロセッサにより、受信した個人認証データの少なくとも一つの項目と以前に取得された個人認証データの少なくとも一つの他の項目との照合に少なくとも部分的に基づき、前記装置において、少なくとも一つのサービスを有効化するステップであって、前記少なくとも一つのサービスは賭け型のゲームを含むステップと、
前記少なくとも一つのサービスが有効化されている間に、前記装置のセンサによって取得されたデータを受信するステップであって、前記データが前記装置のユーザの体の動きを示すデータを含むステップと、
前記少なくとも一つのサービスが有効化されている間において前記データが受信されたことに続いて、前記装置の前記センサによって取得されたデータを受信するステップであって、前記データが前記センサによる無効な読み取りを示すデータを含むステップと、
前記装置のユーザの体の動きを示すデータを含むデータと前記センサによる無効な読み取りを示すデータを含むデータとを受信することに少なくとも部分的に基づいて、前記少なくとも１つのプロセッサにより、個人認証データを前記装置のユーザに入力指示するステップと、を含む方法。
【請求項２】
前記少なくとも一つのサービスが有効化されたことに続いて、前記装置のユーザに関するユーザ変化データの少なくとも一つの項目を取得するステップであって、前記ユーザ変化データの少なくとも一つの項目が、プレーパターンデータ、キーストローク、話し方、血圧、心拍数、体温、及び手書き文字の少なくとも一つを含むステップと、
前記ユーザ変化データの少なくとも一つの項目と以前に取得された前記ユーザ変化データの少なくとも一つの項目とが合致しないことを判定するステップと、
前記ユーザ変化データの少なくとも一つの項目と以前に取得された前記ユーザ変化データの少なくとも一つの項目とが合致しないと判定したことに基づいて、個人認証データを前記装置のユーザに入力指示するステップと、を含む、請求項１に記載の方法。
【請求項３】
前記ユーザ変化データの少なくとも一つの項目と以前に取得された前記ユーザ変化データの少なくとも一つの項目とが合致しないことを判定するステップは、前記ユーザから取得したプレーパターンデータと以前に取得した第２のプレーパターンデータとを比較することを含む、請求項２に記載の方法。
【請求項４】
前記ユーザ変化データの少なくとも一つの項目と以前に取得された前記ユーザ変化データの少なくとも一つの項目とが合致しないと判定することに対応して、前記ユーザ変化データの少なくとも一つの項目と以前に取得された前記ユーザ変化データの少なくとも一つの項目との不一致の程度を判定するステップを含み、
個人認証データを前記装置のユーザに入力指示するステップが、前記ユーザ変化データの少なくとも一つの項目と以前に取得された前記ユーザ変化データの少なくとも一つの項目との不一致の程度として判定された程度に基づいてユーザに入力指示することを含む、請求項２に記載の方法。
【請求項５】
前記個人認証データは、少なくとも第１のクラスに分類され、前記ユーザの変化データは少なくとも第２のクラスにあることを特徴とし、前記第１のクラスは、エラーの程度の一つのカテゴリーに関連付けられており、前記第２のクラスは、エラーの程度の他の一つのカテゴリーに関連付けられている、請求項２に記載の方法。
【請求項６】
前記エラーの分類は、他のエラーに関するエラーの程度に基づいている、請求項５に記載の方法。
【請求項７】
個人認証データを前記装置のユーザに入力指示するステップは、設定された許容できる第２のクラスのエラーの数を超える複数の第２のクラスのエラーを登録することに基づいてトリガされる、請求項５に記載の方法。
【請求項８】
少なくとも一つの前記エラーのクラス及び前記第２のクラスのエラーの閾値は、ユーザが定義する、請求項７に記載の方法。
【請求項９】
個人認証データを前記装置のユーザに入力指示するステップは、
前記ユーザ変化データの少なくとも一つの項目と以前に取得された前記ユーザ変化データの少なくとも一つの項目との不一致の程度を判定すること、又は、
設定された許容できる第２のクラスのエラーの数を超える複数の第２のクラスのエラーを登録すること、
の少なくとも一つに基づく、請求項５に記載の方法。
【請求項１０】
個人認証データを前記装置のユーザに入力指示するステップに続いて、ユーザ変化が起こったことを判定するステップと、
前記判定に基づいて前記装置における前記少なくとも一つのサービスへのアクセスをブロックするステップと、を含む、請求項１に記載の方法。
【請求項１１】
インタフェース画面を表示するステップであって、前記インタフェース画面が、前記賭け型のゲームに関連付けられたグラフィック要素と、前記賭け型のゲームの期間にユーザがゲームコマンド及び賭けのコマンドの少なくとも一つを投入するための少なくとも一つの選択可能な要素とを含む、ステップ、を含む、請求項１に記載の方法。
【請求項１２】
少なくとも１つのプロセッサと、
不揮発性のコンピュータ読み取り可能な記録媒体であって、指令を記憶する記録媒体と、
を備える装置であり、
前記指令は、前記少なくとも１つのプロセッサによって実行された場合に、当該少なくとも１つのプロセッサに、
装置から個人認証データの少なくとも一つの項目を受信するステップと、
受信した個人認証データの少なくとも一つの項目と以前に取得された個人認証データの少なくとも一つの他の項目との照合に少なくとも部分的に基づき、前記装置において、少なくとも一つのサービスを有効化するステップであって、前記少なくとも一つのサービスは賭け型のゲームを含むステップと、
前記少なくとも一つのサービスが有効化されている間に、前記装置のセンサによって取得されたデータを受信するステップであって、前記データが前記装置のユーザの体の動きを示すデータを含むステップと、
前記少なくとも一つのサービスが有効化されている間において前記データが受信されたことに続いて、前記装置の前記センサによって取得されたデータを受信するステップであって、前記データが前記センサによる無効な読み取りを示すデータを含むステップと、
前記装置のユーザの体の動きを示すデータを含むデータと前記センサによる無効な読み取りを示すデータを含むデータとを受信することに少なくとも部分的に基づいて、個人認証データを前記装置のユーザに入力指示するステップと、
を行わせる、装置。
【請求項１３】
前記コンピュータ読み取り可能な記録媒体は、フラッシュメモリーを備える、請求項１２に記載の装置。
【請求項１４】
前記指令は、前記少なくとも１つのプロセッサによって実行された場合に、当該少なくとも１つのプロセッサに、
前記少なくとも一つのサービスが有効化されたことに続いて、前記装置のユーザに関するユーザ変化データの少なくとも一つの項目を取得するステップであって、前記ユーザ変化データの少なくとも一つの項目が、プレーパターンデータ、キーストローク、話し方、血圧、心拍数、体温、及び手書き文字の少なくとも一つを含むステップと、
前記ユーザ変化データの少なくとも一つの項目と以前に取得された前記ユーザ変化データの少なくとも一つの項目とが合致しないことを判定するステップと、
前記ユーザ変化データの少なくとも一つの項目と以前に取得された前記ユーザ変化データの少なくとも一つの項目とが合致しないと判定したことに基づいて、個人認証データを前記装置のユーザに入力指示するステップと、
をさらに行わせ、
前記個人認証データは、少なくとも第１のクラスに分類され、前記ユーザの変化データは少なくとも第２のクラスにあることを特徴とし、前記第１のクラスは、エラーの程度の一つのカテゴリーに関連付けられており、前記第２のクラスは、エラーの程度の他の一つのカテゴリーに関連付けられており、
個人認証データを前記装置のユーザに入力指示するステップは、
前記ユーザ変化データの少なくとも一つの項目と以前に取得された前記ユーザ変化データの少なくとも一つの項目との不一致の程度を判定すること、又は、
設定された許容できる第２のクラスのエラーの数を超える複数の第２のクラスのエラーを登録すること、を含む、請求項１２に記載の装置。